(57)【要約】【課題】  インチ系の解像度しか対応していないようなプリンタでも、配信先のサーバーから、ミリ系の低解像度の画像を正常に印刷できるようにするファクシミリ装置を提供する。【解決手段】  ネットワーク上のサーバーにＦＡＸ受信したデータを配信する機能を有するファクシミリ装置において、普通字のミリ系の解像度でＦＡＸ受信した画像を、他のサーバーに配信する際に小さな字のインチ系解像度相当に倍密処理を施し配信する制御を司るシステム制御手段５を備えた。【選択図】        図１
2006186428.tif 000002
【特許請求の範囲】
【請求項１】
ネットワーク上のサーバーにＦＡＸ受信したデータを配信する機能を有するファクシミリ装置において、普通字のミリ系の解像度でＦＡＸ受信した画像を、他のサーバーに配信する際に小さな字のインチ系解像度相当に倍密処理を施し配信する制御を司るシステム制御手段を備えたことを特徴とするファクシミリ装置。
【請求項２】
請求項１記載のファクシミリ装置において、前記システム制御手段は、副走査長が定型サイズよりも長い場合に、副走査の縮小処理を行って配信する制御を行うことを特徴とするファクシミリ装置。
【請求項３】
請求項２記載のファクシミリ装置において、前記システム制御手段は、さらにスムージング処理を施す制御を行うことを特徴とするファクシミリ装置。
【発明の詳細な説明】
【技術分野】
【０００１】
本発明は、ネットワーク上のサーバーにＦＡＸ受信したデータを配信することができるファクシミリ装置に関する。
【背景技術】
【０００２】
近年、ネットワークに接続されたファクシミリ装置において、ネットワーク上の他のサーバー（ＰＣ等）に受信ファイルを配信するといったことが行われるようになっている。これは主にＦＡＸ受信物のペーパーレス化を目的としているが、通常の場合、やはり必要なファイルは印刷する必要がある。
【発明の開示】
【発明が解決しようとする課題】
【０００３】
その場合、サーバーにあるファクシミリ装置から配信されたデータを身近にあるプリンタ等から印刷することになるが、この時、プリンタの能力や制限からＦＡＸ配信されたデータを適切なフォーマットで印刷できないケースが生じてしまう。例えば、ＦＡＸの普通字は（２００×１００ｄｐｉ、８×３．８５／ｍｍ）と低解像度であるが、プリンタによってはこのような低解像度の書き込みには対応していない場合もある。
また、特にミリ系の解像度の場合、書き込み部がミリ系の解像度に対応していないと、強制的にインチ系の解像度として書き込まれ、画像の主副が伸び縮みしてしまう。
その他の問題としては、適切なスムージング処理を施せない場合も考えられる。なぜなら、通常、このような低解像度の書き込み用の適切なスムージングＭＡＰのパターンを用意していないからである。
また、ファクシミリ装置では定型サイズよりも少し副走査が長いデータを受信するケースがあるが、この場合も画像が切れてしまうか、もしくはプリンタ側で分割して印刷してしまう。プリンタ側で分割した場合、ファシミリ装置の印刷のように分割した時の重ね書き部分等がないため、見づらく、また分割部分の絵が欠けてしまう可能性もある。
本発明は、インチ系の解像度しか対応していないようなプリンタでも、配信先のサーバーから、ミリ系の低解像度の画像を正常に印刷できるようにするファクシミリ装置を提供することを目的としている。
具体的には、８×３．８５／ｍｍのミリ系の低解像度画像を２００×２００ｄｐｉに変換し、ミリ系の画像や低解像度の画像が印刷できないようなプリンタからでも正常に印刷できるようにするファクシミリ装置を提供することを目的としている。
【課題を解決するための手段】
【０００４】
上記目的を達成するために、請求項１記載の発明は、ネットワーク上のサーバーにＦＡＸ受信したデータを配信する機能を有するファクシミリ装置において、普通字のミリ系の解像度でＦＡＸ受信した画像を、他のサーバーに配信する際に小さな字のインチ系解像度相当に倍密処理を施し配信する制御を司るシステム制御手段を備えたファクシミリ装置を最も主要な特徴とする。
請求項２記載の発明は、請求項１記載のファクシミリ装置において、前記システム制御手段は、副走査長が定型サイズよりも長い場合に、副走査の縮小処理を行って配信する制御を行うことを特徴とする。
請求項３記載の発明は、請求項２記載のファクシミリ装置において、前記システム制御手段は、さらにスムージング処理を施す制御を行うことを特徴とする。
【発明の効果】
【０００５】
本発明は、ネットワーク上のサーバーにＦＡＸ受信したデータを配信する機能を有するファクシミリ装置において、普通字のミリ系の解像度でＦＡＸ受信した画像を、他のサーバーに配信する際に小さな字のインチ系解像度相当に倍密処理を施し配信する制御を司るシステム制御手段を備えたことで、インチ系の解像度しか対応していないようなプリンタでも、配信先のサーバーから、ミリ系の低解像度の画像を正常に印刷できるようになる。
【発明を実施するための最良の形態】
【０００６】
以下、本発明の実施の形態を図面に従って説明する。
図１は本発明の実施の形態に係るファクシミリ装置のブロック図である。本ファクシミリ装置は、原稿を読み取り画情報を出力するスキャナ１と、画情報を印刷するプロッタ２と、操作部３と、表示部４と、全体の制御を司るシステム制御部５と、画像データを圧縮する画データ圧縮部６と、圧縮データを格納する圧縮データ格納メモリ７と、圧縮された画データを伸長する画データ伸長部８と、伸長した画データを展開する伸長データ展開メモリ（ページメモリ）９と、ネットワークコントロール部１０と、モデムＮＣＵ部１１とを備え、ネットワークに接続され、他のサーバーにＦＡＸ受信データを配信することが可能なように構成されている。
図２は第１の処理例を示すフローチャートである。
配信処理開始し（ステップ１）、配信対象画像の解像度は普通字（８×３．８５／ｍｍ？）か否かを判定し（ステップ２）、普通字でなければステップ５へ進む。普通字であればステップ３へ進み、副走査の倍密処理（×２）を行う（ステップ３）。そしてミリからインチへの変換処理を行う（ステップ４）。そして配信サーバーへ配信処理を行い（ステップ５）、配信処理終了する（ステップ６）。
図３は第２の処理例を示すフローチャートである。
配信処理開始し（ステップ１）、配信対象画像の解像度は普通字か否かを判定し（８×３．８５／ｍｍ？）（ステップ２）、普通字でなければステップ８へ進む。普通字であるとステップ３へ進み、副走査（長）は定型サイズより長いか否かを判定し（Ｓ３）、定型サイズであるとステップ６へ進み副走査の倍密処理（×２の変倍処理）を行う（ステップ６）。定型サイズより長い場合ステップ４へ進み、副走査の変倍率を算出する（ステップ４）。そして倍密処理を考慮した変倍処理を行う（ステップ５）。そしてミリからインチ変換処理を行う（ステップ７）。次に配信サーバーへ配信処理を行い（ステップ８）、配信処理を終了する（ステップ９）。
【０００７】
図４は第３の処理例を示すフローチャートである。
配信処理開始し（ステップ１）、配信対象画像の解像度は普通字か否かを判定し（８×３．８５／ｍｍ？）、普通字でない場合ステップ８へ進む。普通字である場合ステップ３へ進み、副走査は定型サイズより長いか否かを判定し（ステップ３）、定型サイズである場合ステップ６へ進み、副走査の倍密処理（×２の変倍処理）を行う（ステップ６）。定型サイズより長い場合ステップ４へ進み、副走査の変倍率を算出する（ステップ４）。そして倍密処理を考慮した変倍処理を行う（ステップ５）。次にミリからインチ変換処理を行う（ステップ７）。そしてスムージング処理を行い（ステップ８）、配信サーバーへ配信処理を行って（ステップ９）、配信処理を終了する（ステップ１０）。
これによりミリ→インチ変換を配信処理の際に行い、配信先にはインチ系の画像を必ず渡せるようになる。
本実施形態によれば、ＦＡＸ特有のミリ系の低解像度画像を、通常のプリンタが扱うような解像度（インチ系：２００×２００ｄｐｉ）に変換して配信することで、配信先からどのようなプリンタを使用しても正常に印刷することができるようになる。
また、画像の副走査長が定型サイズよりも長い場合、副走査を縮小して倍密処理を行う。このようにすることで、配信先のサーバーでは、配信された画像を定型サイズとして扱えるため、プリンタで印刷時にも画像が切れたり、分割されて見にくくなる心配がない。また、副走査の縮小も、倍密処理と組み合わせて使用するため、実際には間引き処理を行うことはなく、画像の劣化を引き起こすことがない。
副走査を９０％に縮小したい場合、倍密処理（×２倍）と組み合わせるので、実際には、０．９×２＝１．８倍処理を行うことになり、画像を間引くことがなく、画像の劣化は発生しない。
また、スムージング処理を施すことで、配信先に送る画像を滑らかにすることができる。このようにすれば、配信先から印刷する際に、効果的なスムージング処理が行えないようなプリンタからでも、滑らかな画像を得ることが可能となる。また、一般的にスムージング処理は、倍密処理と組み合わせて使用することにより、効果的に処理を行うことができる。
【図面の簡単な説明】
【０００８】
【図１】本発明の実施の形態に係るファクシミリ装置のブロック図。
【図２】第１の処理例を示すフローチャート。
【図３】第２の処理例を示すフローチャート。
【図４】第３の処理例を示すフローチャート。
【符号の説明】
【０００９】
１  スキャナ、２  プロッタ、３  操作部、４  表示部、５  システム制御部、６  画データ圧縮部、７  圧縮データ格納メモリ、８  画データ伸長部、９  伸長データ展開メモリ（ページメモリ）、１０  ネットワークコントロール部、１１  モデムＮＣＵ部
【図１】
2006186428.tif 000003
【図２】
2006186428.tif 000004
【図３】
2006186428.tif 000005
【図４】
2006186428.tif 000006